(57)【要約】【課題】２方向のオフセットを吸収するピン・グロメット型ファスナ及びこれに関連した方法を提供する。【解決手段】内側ハウジングが、Ｘ方向と平行に延びる入口傾斜路を備えた、Ｘ方向に細長いピン保持レセプタクルを定める。内側ハウジングは、外側ハウジングに摺動可能に結合され、その内部内に延びる。複数のセンタリングブレードが、内部内及び内側ハウジングと外側ハウジングとの間に延び、ピンをピン保持レセプタクルに挿入する前に、ピン保持レセプタクルを内部内の中央位置にＹ方向に配置する。センタリングブレードは、Ｙ方向に移動可能であり、ピンをピン保持レセプタクルに挿入する際、ピンが入口傾斜路に係合するのに応答して、内側ハウジングがセンタリングブレードを移動させる結果として、内側ハウジングのピン保持レセプタクルが、ハウジングに対して非中央位置にＹ方向に移動することを可能にする。関連した方法も開示される。【選択図】図１
2018071789.tif 000002
【特許請求の範囲】
【請求項１】
第１の構成部品の孔内に取り付け、第２の構成部品から延びるピンを受けて、前記第１の構成部品と第２の構成部品を連結するためのピン・グロメット型ファスナであって、
ピン保持溝又は突起部を含むピンと、
Ｘ方向と平行に延びる入口傾斜路を備えた、Ｘ方向に細長いピン保持レセプタクルと、前記ピン保持溝又は突起部を保持するように動作可能な協働するピン保持溝又は突起部と、内側ハウジング保持面を有する内側ハウジングフランジとを定める内側ハウジングと、
協働する内側ハウジング保持面を有する外側ハウジングフランジと、前記外側ハウジングが前記第１の構成部品の前記孔内に取り付けられるとき、前記第１の構成部品を前記外側ハウジングフランジに対して保持するように配置された複数の弾性保持ウィングとを有する内部を定める外側ハウジングと、
前記内部内及び前記内側ハウジングと前記外側ハウジングとの間に延び、前記ピンを前記ピン保持レセプタクルに挿入する前、前記内側ハウジングの前記ピン保持レセプタクルを、前記外側ハウジングの前記内部内の中央位置にＹ方向に配置するように延び、かつ、前記Ｙ方向に移動可能であり、前記ピンを前記ピン受けレセプタクルに挿入する際、前記内側ハウジングが前記センタリングブレードを移動させた結果として、前記内側ハウジングの前記ピン保持レセプタクルが、前記ハウジングに対して非中央位置に前記Ｙ方向に移動することを可能にする、複数のセンタリングブレードと、
を含むグロメットと、
を備えることを特徴とする、ピン・グロメット型ファスナ。
【請求項２】
前記センタリングブレードは、第１及び第２の端部を有し、前記第１及び第２の端部の各々は、前記外側ハウジングの壁又は前記フランジに結合されることを特徴とする、請求項１に記載のピン・グロメット型ファスナ。
【請求項３】
前記第１及び第２の端部は、前記外側ハウジングの隣接する側壁に結合されることを特徴とする、請求項２に記載のピン・グロメット型ファスナ。
【請求項４】
前記第１及び第２の端部は、前記外側ハウジングフランジ及び前記外側ハウジングフランジの反対側の前記外側ハウジングの端壁に結合されることを特徴とする、請求項２に記載のピン・グロメット型ファスナ。
【請求項５】
前記センタリングブレードの少なくとも第１の端部は、前記外側ハウジングの壁又は前記フランジに結合されることを特徴とする、請求項１に記載のピン・グロメット型ファスナ。
【請求項６】
前記センタリングブレードは、前記ハウジングの上部と前記ハウジングの下部との間の前記外側ハウジングの前記内部内に概ね軸方向に延びることを特徴とする、請求項１に記載のピン・グロメット型ファスナ。
【請求項７】
前記センタリングブレードは、前記ハウジングの右部分と前記ハウジングの左部分との間の前記外側ハウジングの前記内部内に概ね横方向に延びることを特徴とする、請求項１に記載のピン・グロメット型ファスナ。
【請求項８】
前記センタリングブレードは、前記中央位置に対応する初期位置と前記非中央位置に対応する第２の位置との間で可撓性であることを特徴とする、請求項１に記載のピン・グロメット型ファスナ。
【請求項９】
前記センタリングブレードは、前記中央位置に対応する初期位置と前記非中央位置に対応する第２の位置との間で脆弱であることを特徴とする、請求項１に記載のピン・グロメット型ファスナ。
【請求項１０】
前記外側ハウジング及び前記内側ハウジングはそれぞれ一体成形の一体構成部品であることを特徴とする、請求項１に記載のピン・グロメット型ファスナ。
【請求項１１】
前記内側ハウジング保持面は、前記内側ハウジングフランジ内のスロットの周辺部により提供され、前記協働する内側ハウジング保持面は、可撓性支柱から延びる突起部により提供されることを特徴とする、請求項１０に記載のピン・グロメット型ファスナ。
【請求項１２】
前記外側ハウジングは、２つの半体構成部品を連結する協働するロック面を有する２つの半体構成部品を含むことを特徴とする、請求項１に記載のピン・グロメット型ファスナ。
【請求項１３】
前記２つの半体構成部品は、ヒンジ連結されることを特徴とする、請求項１に記載のピン・グロメット型ファスナ。
【請求項１４】
前記内側ハウジング保持面は、前記内側ハウジングフランジの縁部の周辺部により提供され、前記協働する内側ハウジング保持面は、非可撓性支柱から延びる突起部により提供され、前記突起部は、前記協働するロック面が係合する際、前記２つの半体構成部品が連結されるときに前記周辺部を捕捉するように配置されることを特徴とする、請求項１３に記載のピン・グロメット型ファスナ。
【請求項１５】
前記内側ハウジング保持面は、前記内側ハウジングフランジの縁部の周辺部により提供され、前記協働する内側ハウジング保持面は、非可撓性支柱から延びる突起部により提供されることを特徴とする、請求項１に記載のピン・グロメット型ファスナ。
【請求項１６】
前記内側ハウジングフランジは上面を有し、前記ピンは、前記上面に係合可能な停止面を有し、前記内側ハウジングが前記外側ハウジングに結合されるとき、前記突起部及び前記非可撓性支柱は、前記上面の下方に完全に配置されることを特徴とする、請求項１５に記載のピン・グロメット型ファスナ。
【請求項１７】
第１の構成部品の孔内に取り付け、第２の構成部品から延びるピンを受けて、前記第１の構成部品と第２の構成部品を連結するためのピン・グロメット型ファスナを製造する方法であって、
Ｘ方向と平行に延びる入口傾斜路を備えた、Ｘ方向に細長いピン保持レセプタクルと、前記ピン保持溝又は突起部を保持するように動作可能な協働するピン保持溝又は突起部と、一対の内側ハウジング保持面を有する内側ハウジングフランジとを定める内側ハウジングを成形するステップと、
一対の協働する内側ハウジング保持面を有する外側ハウジングフランジと、前記２つの半体構成部品を連結する協働するロック面と、前記外側ハウジングが前記第１の構成部品の前記孔内に取り付けられるとき、前記第１の構成部品を前記外側ハウジングフランジに対して保持するように配置された複数の弾性保持ウィングとを有する、一緒に内部を定める２つの外側ハウジング半体構成部品を成形するステップと、
前記２つの半体構成部品を結合し、同時に前記内側ハウジングを前記外側ハウジングに結合するように、前記協働するロック面を互いに対して配置及び係合してＹ方向における摺動可能な移動を可能にしながら、前記内側ハウジングの周りに前記２つの外側ハウジング半体構成部品を一緒に組み立て、前記内側ハウジング保持面の対が前記協働する内側ハウジング保持面の対を捕捉するようにするステップと、
を含む、方法。
【請求項１８】
前記２つの外側ハウジング半体構成部品を成形するステップは、前記２つの外側ハウジング半体構成部品の間にリビングヒンジを一体成形するステップを含み、前記外側ハウジング半体構成部品を組み立てるステップは、前記外側ハウジング半体構成部品を前記ヒンジの周りに互いに向けて回転させるステップを含むことを特徴とする、請求項１７に記載のピン・グロメット型ファスナを製造する方法。
【請求項１９】
前記内側ハウジングを成形するステップは、前記内側ハウジング保持面を前記内側ハウジングフランジの縁部の周辺部として成形するステップを含み、前記２つの外側ハウジング半体構成部品を成形するステップは、前記協働する内側ハウジング保持面を非可撓性支柱から延びる突起部として成形するステップを含むことを特徴とする、請求項１７に記載のピン・グロメット型ファスナを製造する方法。
【請求項２０】
前記２つの外側ハウジング半体構成部品を成形することは、複数のセンタリングブレードを、前記内部内及び前記内側ハウジングと前記外側ハウジングとの間に延び、前記ピンを前記ピン保持レセプタクルに挿入する前に前記内側ハウジングの前記ピン保持レセプタクルを前記外側ハウジングの前記内部内の中央位置にＹ方向に配置するように成形することを含み、前記センタリングブレードは、前記ピンを前記ピン保持レセプタクルに挿入する際、前記外側ハウジングの非中央位置への移動を可能にするように成形されることを特徴とする、請求項１７に記載のピン・グロメット型ファスナを製造する方法。
【請求項２１】
前記ピンを成形するステップと、前記ピンを、そこから前記Ｙ方向にオフセットした前記ピン保持レセプタクルに挿入するステップと、前記傾斜面に係合させて、前記ピンを前記ピン保持レセプタクルに挿入する際、前記センタリングブレードが移動する結果として、前記内側ハウジングが、前記ハウジングに対して非中央位置に前記Ｙ方向に移動するようにするステップとをさらに含むことを特徴とする、請求項２０に記載のピン・グロメット型ファスナを製造する方法。
【請求項２２】
前記ピンを、前記細長いＸ方向に沿って中央位置からオフセットした前記ピン保持レセプタクルに挿入することをさらに含むことを特徴とする、請求項２１に記載のピン・グロメット型ファスナを製造する方法。
【請求項２３】
請求項１の前記ピン・グロメット型ファスナにより前記第１の構成部品を前記第２の構成部品に結合する方法であって、前記方法は、
前記グロメットを前記第１の構成部品の前記孔に挿入するステップと、前記第２の構成部品から延びる前記ピンを、そこから前記Ｙ方向にオフセットした前記ピン保持レセプタクルに挿入するステップと、前記傾斜面に係合して、前記ピンを前記ピン保持レセプタクルに挿入する際、前記センタリングブレードが移動する結果として、前記内側ハウジングが、前記ハウジングに対して非中央位置に前記Ｙ方向に移動するようにするステップとを含むことを特徴とする、方法。
【請求項２４】
前記ピンを、その前記細長いＸ方向に沿って中央位置からオフセットした前記ピン保持レセプタクルに挿入するステップをさらに含むことを特徴とする、請求項２３に記載の前記第１の構成部品を前記第２の構成部品に結合する方法。
【発明の詳細な説明】
【技術分野】
【０００１】
本開示は、ピン・グロメット型ファスナに関する。
【背景技術】
【０００２】
本項は、本開示に関する背景情報を提供するが、これは必ずしも従来技術ではない。
【０００３】
ピン・グロメット型ファスナは、当技術分野において周知である。こうしたピン・グロメット型ファスナは、一般的には、Ｘ方向及びＹ方向の両方においてピンをピン受け孔と中心位置合わせする必要がある。言い換えれば、ピンをピン受け孔に挿入する前に、ピン受け孔からオフセットしたピンを物理的に位置変更し、グロメットのピン受け孔の中心と位置合わせする必要がある。一方向における（例えば、Ｘ方向における）ピンのオフセットを許容する幾つかのピン・グロメット型ファスナは存在するが、やはりピンをグロメットに対して位置変更する必要があり、従って、他の方向において（例えば、Ｙ方向において）ピンをピン受け孔と中心位置合わせして、その挿入を行う。
【発明の概要】
【発明が解決しようとする課題】
【０００４】
こうしたピン・グロメット型ファスナは、例えば、複数のピンを、互いに対する固定位置で第１の構成部品に取り付け、別の構成部品に固定された対応する複数のグロメットのピン受け孔に挿入する必要がある場合、完全に満足のいくものではない。別の例として、こうしたピン・グロメット型ファスナは、グロメットへのピンの挿入が、グロメットにおけるピンのブラインド配置及び挿入を要する場合、完全に満足にいくものではない。これらの両方の場合におけるピン挿入の容易さは、グロメットのピン保持孔への挿入の際、Ｘ方向及びＹ方向の両方におけるかなりの量のピンのオフセットを吸収できるピン・グロメット型ファスナにより、助長される。
【課題を解決するための手段】
【０００５】
本項は、本開示の全体的な概要を提供するものであり、その全範囲又はその特徴の全てを包括的に開示するものではない。
本開示の一態様によると、第１の構成部品の孔内に取り付け、第２の構成部品から延びるピンを受けて、第１の構成部品と第２の構成部品を連結するためのピン・グロメット型ファスナが提供される。ピン・グロメット型ファスナは、ピン保持溝又は突起部を有するピンを含むことができる。グロメットが、Ｘ方向と平行に延びる入口傾斜路を備えた、Ｘ方向に細長いピン保持レセプタクルと、ピン保持溝又は突起部を保持するように動作可能な協働するピン保持溝又は突起部と、内側ハウジング保持面を有する内側ハウジングフランジとを定める内側ハウジングを含むことができる。グロメットはまた、協働する内側ハウジング保持面を有する外側ハウジングフランジと、外側ハウジングが第１の構成部品の孔内に取り付けられるとき、第１の構成部品を外側ハウジングフランジに対して保持するように配置された複数の弾性保持ウィングとを有する、内部を定める外側ハウジングを含むこともできる。グロメットは付加的に、内部内及び内側ハウジングと外側ハウジングとの間に延び、ピンをピン保持レセプタクルに挿入する前、内側ハウジングのピン保持レセプタクルを、外側ハウジングの内部内の中央位置にＹ方向に配置するように延びる、複数のセンタリングブレードを含むこともできる。センタリングブレードは、Ｙ方向に移動可能であり、ピンをピン受けレセプタクルに挿入する際、内側ハウジングがセンタリングブレードを移動させた結果として、内側ハウジングのピン保持レセプタクルが、ハウジングに対して非中央位置にＹ方向に移動することを可能にする。
【０００６】
本開示の一態様によると、第１の構成部品の孔内に取り付け、第２の構成部品から延びるピンを受けて、第１の構成部品と第２の構成部品を連結するためのピン・グロメット型ファスナを製造する方法が提供される。この方法は、Ｘ方向と平行に延びる入口傾斜路を備えた、Ｘ方向に細長いピン保持レセプタクルと、ピン保持溝又は突起部を保持するように動作可能な協働するピン保持溝又は突起部と、一対の内側ハウジング保持面を有する内側ハウジングフランジとを定める内側ハウジングを成形することを含む。方法はまた、一対の協働する内側ハウジング保持面を有する外側ハウジングフランジと、２つの半体構成部品を連結する協働するロック面と、外側ハウジングが第１の構成部品の孔内に取り付けられるとき、第１の構成部品を外側ハウジングフランジに対して保持するように配置された複数の弾性保持ウィングとを有する、一緒に内部を定める２つの外側ハウジング半体構成部品を成形することを含むこともできる。方法は付加的に、２つの半体構成部品を結合し、同時に内側ハウジングを外側ハウジングに結合するように、協働するロック面を互いに対して配置及び係合してＹ方向における摺動可能な移動を可能にしながら、内側ハウジングの周りに２つの外側ハウジング半体構成部品を一緒に組み立て、内側ハウジング保持面の対が協働する内側ハウジング保持面の対を捕捉するようにすることを含むこともできる。
【０００７】
さらなる適用可能な分野は、本明細書において与えられる説明から明らかになるであろう。本概要における説明及び特定の例は、例示目的であることのみを意図し、本開示の範囲を限定することを意図するものではない。
【０００８】
本明細書において記載される図面は、全ての可能な実施例を示すものではなく、選択された実施形態の例証目的のためのものにすぎず、本開示の範囲を限定することを意図するものでもない。
【図面の簡単な説明】
【０００９】
【図１】本開示による、ピン・グロメット型ファスナの第１の例示的な実施形態を含む分解斜視図である。
【図２】図１の第１の例示的なピン・グロメット型ファスナの外側ハウジングの斜視図である。
【図３】図１の第１の例示的なピン・グロメット型ファスナの外側ハウジングの別の斜視図である。
【図４】中央位置にある内側ハウジングを示す、図１の第１の例示的なピン・グロメット型ファスナのグロメットの断面図である。
【図５】非中央位置にある内側ハウジングを示す、図１の第１の例示的なピン・グロメット型ファスナのグロメットの断面図である。
【図６】図１の第１の例示的なピン・グロメット型ファスナの斜視図である。
【図７】本開示による、ピン・グロメット型ファスナの第２の例示的実施形態を含む部分分解斜視図である。
【図８】図７の第２の例示的なピン・グロメット型ファスナの外側ハウジングの斜視図である。
【図９】図７の第２の例示的なピン・グロメット型ファスナの外側ハウジングの別の斜視図である。
【図１０】図７の第２の例示的なピン・グロメット型ファスナの外側ハウジングの上面図である。
【図１１】中央位置にある内側ハウジングを示す、図７の第２の例示的なピン・グロメット型ファスナのグロメットの断面図である。
【図１２】非中央位置にある内側ハウジングを示す、図７の第２の例示的なピン・グロメット型ファスナのグロメットの断面図である。
【図１３】図７の第２の例示的なピン・グロメット型ファスナの斜視図である。
【図１４】本開示による、ピン・グロメット型ファスナの第３の例示的実施形態を含む部分分解斜視図である。
【図１５】図１４の第３の例示的なピン・グロメット型ファスナの外側ハウジングの分解斜視図である
【図１６】図１４の第３の例示的なピン・グロメット型ファスナの外側ハウジングの上面図である。
【図１７】中央位置にある内側ハウジングを示す、図１４の第３の例示的なピン・グロメット型ファスナのグロメットの断面図である。
【図１８】非中央位置にある内側ハウジングを示す、図１４の第３の例示的なピン・グロメット型ファスナのグロメットの断面図である
【図１９】図１４の第３の例示的なピン・グロメット型ファスナの斜視図である。
【発明を実施するための形態】
【００１０】
図面の幾つかの図を通して、対応する参照符号は対応する部品を示す。
ここで、添付図面を参照して、例示的な実施形態をさらに十分に説明する。
【００１１】
図１〜図６は、本開示によるピン・グロメット型ファスナ２０の１つの例示的実施形態を示す。グロメット２２は、第１の構成部品２８の孔２６内に取り付けて、第２の構成部品３０から延びるピン２４を受け、第１の構成部品２８と第２の構成部品３０を連結させることが可能である。ピン２４は保持溝３２を含むことができる。付加的に又は代替的に、ピン２４は保持突起部３４を含むこともできる。
【００１２】
グロメット２２は、内側ハウジング３６及び外側ハウジング３８を含む。内側ハウジング３６は、Ｘ方向に細長いピン保持レセプタクル４０を定める。ピン保持レセプタクル４０は、Ｘ方向と平行に延びる入口傾斜路４２を含むことができる。協働するピン保持突起部４６が、ピン保持溝３２に係合し、ピン２４をピン保持レセプタクル４０内に保持するように配置される。代替的に又は付加的に、ピン保持突起部３４に係合し、ピン２４をピン保持レセプタクル４０内に保持するように、協働するピン保持溝を配置することができる。
【００１３】
内側ハウジング３６は、内側ハウジング保持面５０を有する内側ハウジングフランジ４８を含むことができる。本実施形態の２つの内側ハウジング保持面５０は、フランジ４８を通って延びるスロット５２のそれぞれの周辺部により提供される。外側ハウジング３８は、協働する内側ハウジング保持面５６を有する外側ハウジングフランジ５４を有することができる。本実施形態の２つの協働する内側ハウジング保持面５６は、外側ハウジングフランジ５４から延びる可撓性支柱５８から延びる突起部５７により提供される。
【００１４】
外側ハウジング３８は、該外側ハウジング３８が第１の構成部品２８の孔２６内に取り付けられるとき、外側ハウジングフランジ５４の下面に対して第１の構成部品２８を保持するように配置された複数の弾性保持ウィング６０を有することができる。
【００１５】
外側ハウジング３８は内部６２を定め、複数のセンタリングブレード６４が、内部６２内及び外側ハウジング３８と内側ハウジング３６との間に延びる。センタリングブレード６４は、ピン２４をピン保持レセプタクル４０に挿入する前に、ピン保持レセプタクル４０を外側ハウジング３８の内部６２内の中央位置（図４）にＹ方向に配置するように位置決めされ、延びる。センタリングブレード６４は、Ｙ方向に移動するのに十分に可撓性であるので、ピン２４をピン保持レセプタクル４０内に挿入する際に、内側ハウジング３６が撓み、センタリングブレード６４を移動させた結果として、ピン保持レセプタクル４０が、外側ハウジング３８に対して非中央位置（図５）にＹ方向に移動することを可能にする。
【００１６】
ピン２４がピン保持レセプタクル４０からＹ方向にオフセットしているとき、該ピン２４は傾斜した入口傾斜路４２の１つに係合する。オフセットしたピン２４を挿入し続けると、傾斜した入口傾斜路４２を介して内側ハウジング３６に力が伝えられる。このため、内側ハウジング３６は、係合した入口傾斜路４２に隣接する又はこれと同じ側にあるセンタリングブレード６４に係合し、センタリングブレード６４を移動させる。従って、オフセットしたピン２４を挿入することにより、ピン保持レセプタクル４０が非中央位置（図５）に移動する。
【００１７】
スロット５２のＹ方向寸法は、可撓性支柱５８のＹ方向寸法より大きく、Ｙ方向への外側フランジ５４に対する内側ハウジングフランジ４８の摺動運動が可能となる。スロット５２のＸ−寸法は、可撓性支柱５８及び突起部５９のＸ−寸法より大きく、協働する内側ハウジング保持面５６をもたらす。
【００１８】
各センタリングブレード６４は、第１の端部６６及び第２の端部６８を有することができる。この例示的実施形態におけるように、第１の端部は、外側ハウジングフランジ５４に結合することができ、第２の端部６８は、外側ハウジングフランジ５４の反対側の、外側ハウジング３８の端壁７０に結合することができる。この例示的実施形態におけるように、センタリングブレード６４は、外側ハウジング３８の内部６２内にフランジ５４に向かう外側ハウジング３８の上部と端壁７０に向かう外側ハウジング３８の下部との間に概ね軸方向に延びることができる。
【００１９】
図７〜図１３は、本開示による、ピン・グロメット型ファスナ２０の別の例示的実施形態を示す。前の実施形態のものに共通又は類似する本実施形態の特徴又は要素は、詳細に繰り返されず、こうした共通又は類似する特徴を識別するために、これらの図では、同一の参照番号が用いられる。同様に、以下の説明の一部は、前の実施形態の共通又は類似する特徴にも同様に適用可能である。
【００２０】
外側ハウジング３８が一体成形の一体構成部品である前の例示的実施形態とは異なり、本実施形態の外側ハウジング３８は、リビングヒンジ８６により連結された２つの半体構成部品（ｈａｌｆ  ｃｏｍｐｏｎｅｎｔ）７２を含む。協働するロック面７４、７６が係合して互いにロックし、２つの半体構成部品７２を連結させる。協働するロック面７４は、延長アーム７８から延びる突起部８０により提供することができる。協働するロック面７６は、外側ハウジング３８の側壁８２内に形成されたデテントとすることができる。
【００２１】
センタリングブレード６４の第１の端部６６及び第２の端部６８の両方とも、結合して外側ハウジング３８の隣接する側壁８２から延びることができる。従って、センタリングブレード６４は、外側ハウジング３８の内部６２内に外側ハウジングの右側と外側ハウジング３８の左側との間に概ね横方向に延びることができる。
【００２２】
内側ハウジング保持面５０は、内側ハウジングフランジ４８の縁部の周辺部５２により提供することができる。各々の協働する内側ハウジング保持面５６は、非可撓性支柱５８から延びる突起部５７により提供することができる。非可撓性支柱５８及び突起部５７は、互いに向けて開いた又は互いに対向する、Ｙ方向に長手方向に延びるスロット又はチャネル８４を提供することができる。非可撓性支柱５８及び突起部５７が、協働する内側ハウジング保持面５６に隣接する内側ハウジング保持面５０を提供するとき、内側ハウジング３６及び外側ハウジング３８は互いに摺動結合し、Ｙ方向におけるこれらの間の相対運動を可能にする。こうした運動の間、内側ハウジングフランジ４８及び外側ハウジングフランジ５４は、互いに対して摺動可能である。
【００２３】
支柱５８と突起部５７、及び外側ハウジング３８の内部６２内に延びる内側ハウジング３６の剛性すなわち非可撓性の性質のため、２つの半体構成部品７２が一緒にされ、連結されたときに、対向するスロット８４内に内側ハウジング３６の反対側の周辺部５２を捕捉することができる。
【００２４】
この例示的実施形態において、２つの半体構成部品７２は、これらの間のリビングヒンジ８６により共に成形することができる。従って、２つの半体構成部品７２は、ヒンジ式クラムシェル構成を有することができる。例えば、ヒンジ８６は、端壁７０の部分を連結することができる。ヒンジ８６のピボット軸線は、対向するスロット８４の長手方向にと平行に延びることができる。外側ハウジング３８の２つの半体構成部品７２が、ヒンジ８６の周りに互いに向けてピボット運動され、協働するロック面７４、７６を介して連結されると、内側ハウジング３６は、内側ハウジングフランジ４８の反対側の周辺部５２が、外側ハウジング３８のフランジ５４の対向するスロット８４内に受けられ、捕捉されるように配置される。
【００２５】
図１４〜図１９は、本開示による、ピン・グロメット型ファスナ２０のさらに別の例示的実施形態を示す。上述のように、前の実施形態のものと共通又は類似する本実施形態の特徴又は要素は、詳細に繰り返されず、こうした共通又は類似する特徴を識別するために、これらの図において、同一の参照番号が使用される。同様に、以下の説明の一部は、前の実施形態の一方又は両方の共通又は類似する特徴にも同様に適用することができる。
【００２６】
直前の実施形態と同様に、本実施形態の外側ハウジング３８は、２つの半体構成部品７２で形成される。端壁７０の部分を連結するヒンジではなく、この例示的実施形態は、端壁７０の部分を連結するために付加的な協働するロック面７４、７６を有する。
【００２７】
この例示的実施形態において、各センタリングブレード６４の第１の端部６６は、外側ハウジング３８の側壁８２に結合されるが、各センタリングブレード６４の第２の端部６８は、結合されていない自由端である。或いは、センタリングブレード６４の一方又は両方の第１の端部６６を、端壁７０、外側ハウジングフランジ５４、又は側壁８２の１つのいずれかの組み合わせに結合することができるが、第２の端部６８は結合されない自由端のままである。
【００２８】
前の実施形態と同様に、センタリングブレード６４は、内部６２内に内側ハウジング３６と外側ハウジング３８の間に延び、最初に、内側ハウジングのピン保持レセプタクル４０を、外側ハウジング３８の内部６２に対して中央位置にＹ方向に配置する（図１７）。
【００２９】
最初にピン保持レセプタクル４０をこの中央Ｙ方向位置（図４、図１１及び図１７）に保持することにより、ピン保持レセプタクル４０の外側開口部９０がＹ方向にあることに関する確実性がもたらされる。これにより、グロメット２２のパッケージサイズ全体の低減が可能になり、グロメット２２へのピン２４の挿入が容易になる。例えば、内側ハウジング３６が、最初に外側ハウジング３８に対して自由に浮動又は摺動することが許容された場合、内側ハウジング３６を、最初に外側ハウジング３８の右端の側壁８２に対して配置することができる。従って、ピン保持レセプタクル４０の外側開口部９０の左端側に挿入されたピン２４の捕捉を保証するために、この外側開口部９０をＹ方向にずっと大きくする必要がある。入口傾斜路４２の許容角度が限られているので、これは、入口傾斜路４２を長くし、ピン保持レセプタクル４０の全軸方向長の増大、従って、グロメット２２及びピン２４の全軸方向長の増大をもたらす必要があることを意味する。
【００３０】
対照的に、センタリングブレード６４がピン保持レセプタクル４０を外側ハウジング３８に対して中央Ｙ方向位置に配置するとき、ピン保持レセプタクル４０のより小さいサイズの外側開口部９０が可能である。例えば、複数のピン・グロメット型ファスナ２０を用いて、第１の構成部品２８と第２の構成部品３０を接合する場合、公差は一般的に、理想的な位置又は場所からのプラス及びマイナス寸法を伴う。中央位置にあるとき、外側開口部９０は、プラス／マイナスの公差寸法を吸収するのに十分に大きいことだけを必要とする。同様に、ピン２４及びグロメット２２のブラインド連結が行われる場合において、ピン保持レセプタクル４０の繰り返し可能な相対的中央位置決めは、ピン２４をグロメット２２に挿入する際にユーザ又はマシンが頼りにすることができる、外側開口部９０の周知の位置を提供する。もちろん、外側開口部９０は、常にＸ方向中央位置に維持され、細長いピン保持レセプタクル４０がＸ方向における公差又は位置オフセットを吸収する。
【００３１】
図１４〜図１９の例示的実施形態に戻ると、センタリングブレード６４は脆弱である。Ｙ方向にオフセットしたピン２４は、該ピン２４がピン保持レセプタクル４０に挿入されるとき、入口傾斜路４２に係合し、内側ハウジングを外側ハウジング３８の内部６２に対して非中央位置（図１８）に移動させる。内側ハウジング３６がこの非中央位置に移動すると、脆弱なセンタリングブレード６４が移動し、最終的に湾曲又は破断する（図１８）。脆弱なセンタリングブレード６４は、それらを破断することができる脆性材料で作成することができる。付加的に又は代替的に、脆弱なセンタリングブレード６４は、それらを湾曲又は破断することができる脆弱化領域を有することができる。
【００３２】
上記の説明から関連した方法が明らかであろう。例えば、ピン・グロメット型ファスナ２０を製造する方法は、上述の特徴又は要素のいずれかを有するピン２４及びグロメット２２を成形することと、ピンをグロメットに挿入することとを含む、説明したようにそれらを共に組み立てることとを含むことができる。第１の構成部品２８と第２の構成部品３０を使用する又は共に組み立てる方法は、グロメット２２を第１の構成部品２８の孔２６に挿入すること、及び、第２の構成部品３０に結合されたピン２４をピン保持レセプタクル４０に挿入することのいずれかを含むことができる。上述のように、全ての関連した方法は、Ｘ方向及びＹ方向にオフセットしたピンをピン保持レセプタクル４０に挿入して、内側ハウジング３６が、外側ハウジング３８に対してＹ方向に移動するようにすることを含むことができる。
【００３３】
本開示の実施形態の完全な理解を与えるために、特定の構成部品、デバイス及び方法の例などの多数の特定の詳細が示される。当業者には、特定の詳細を用いる必要がなく、例示的実施形態は多くの異なる形態で具体化することができ、かついずれも本開示の範囲を制限するものと解釈すべきではないことが明らかであろう。幾つかの例示的実施形態において、周知のプロセス、周知のデバイス構造体、及び周知の技術は、詳細に説明しない。
【００３４】
本明細書に用いられる用語は、特定の例示的実施形態だけを説明するためのものであり、限定することを意図したものではない。本明細書で使用される場合、「第１」、「第２」及び他の数値用語などの用語は、文脈によって明白に示されない限り、順番又は相対的重要性を意味するものではない。同様に、「半体構成部品」への言及は、各々の半体構成部品が外側ハウジングの半分を表すことを必要としない。どちらかと言えば、本明細書において「半体構成部品」は、外側ハウジングが、連結された２つの別個の主構成部品から形成されることを伝えるために用いられる。これとは別に、本明細書における「Ｘ方向」及び「Ｙ方向」への言及は、グロメットのフランジと位置合わせされた面における二次元座標系に関連する。本明細書で用いられる場合、「概ね軸方向に」とは、内部内に概ね（例えば、外側ハウジングフランジにより定められる面に対して概ね垂直な）ハウジングの上部と下部との間に延びることを意味し、「概ね横方向に」とは、内部内に概ね（例えば、外側ハウジングフランジにより定められる面と概ね平行な）２つの側部の間に延びることを意味する。
【００３５】
実施形態の上記の説明は、図示及び説明のために与えられている。これは、網羅的であること又は本開示を限定することを意図するものではない。具体的に示され又は説明されていない場合でも、特定の実施形態の個々の要素又は特徴は、一般に、その特定の実施形態に限定されるものではなく、適用可能な場合には、交換可能であり、選択される実施形態において用いることができる。特定の実施形態の個々の要素又は特徴はまた、様々な方法で変化し得る。こうした変形は、本開示からの逸脱とみなすべきではなく、全てのこうした変更は、本開示の範囲内に含まれることが意図される。
【符号の説明】
【００３６】
２０：ピン・グロメット型ファスナ
２２：グロメット
２４：ピン
２６：孔
２８：第１の構成部品
３０：第２の構成部品
３２：保持溝
３４：保持突起部
３６：内側ハウジング
３８：外側ハウジング
４０：ピン保持レセプタクル
４２：入口傾斜路
４８：内側ハウジングフランジ
５０：内側ハウジング保持面
５２：スロット、周辺部
５４：外側ハウジングフランジ
５６：協働する内側ハウジング保持面
５７、８０：突起部
５８：支柱
６０：弾性保持ウィング
６２：内部
６４：センタリングブレード
６６：第１の端部
６８：第２の端部
７０：端壁
７２：半体構成部品
７４、７６：協働するロック面
７８：延長アーム
８２：側壁
８４：スロット又はチャネル
８６：リビングヒンジ
９０：外側開口部
【図１】
2018071789.tif 000003
【図２】
2018071789.tif 000004
【図３】
2018071789.tif 000005
【図４】
2018071789.tif 000006
【図５】
2018071789.tif 000007
【図６】
2018071789.tif 000008
【図７】
2018071789.tif 000009
【図８】
2018071789.tif 000010
【図９】
2018071789.tif 000011
【図１０】
2018071789.tif 000012
【図１１】
2018071789.tif 000013
【図１２】
2018071789.tif 000014
【図１３】
2018071789.tif 000015
【図１４】
2018071789.tif 000016
【図１５】
2018071789.tif 000017
【図１６】
2018071789.tif 000018
【図１７】
2018071789.tif 000019
【図１８】
2018071789.tif 000020
【図１９】
2018071789.tif 000021